(57)【要約】【課題】  コーン型スピーカーと、コーン型スピーカーの振動板開口部に取り付けられる高音用スピーカーと、これらを連結するジョイント部材とを備えた複合スピーカーに関し、新たなジョイント部材の設計を抑制し、音響特性が優れた複合スピーカーを提供する。【解決手段】  本発明の複合スピーカーは、ジョイント部材が、第１スピーカーの第１ボイスコイルへの入力信号の極性と、第２スピーカーの第２ボイスコイルへの入力信号の極性と、を反転させる極性反転スイッチ機構を含み、第１連結部材または第２連結部材のいずれか一方が備える軸部を、他方が備える軸受部に対して回動する場合に、第１連結部材の正極端子片および負極端子片のいずれか一方が、第２連結部材の正極端子片に接続し、第１連結部材の正極端子片および負極端子片の他方が、第２連結部材の負極端子片に接続する。【選択図】  図１
2010177724.tif 000002
【特許請求の範囲】
【請求項１】
コーン型振動板を備える第１スピーカーと、該第１スピーカーの振動板開口部に取り付けられる第２スピーカーと、該第１スピーカーと該第２スピーカーとを連結して該第１スピーカーの第１ボイスコイルへの入力信号の極性と該第２スピーカーの第２ボイスコイルへの入力信号の極性とを反転させる極性反転スイッチ機構を含むジョイント部材と、を備えた複合スピーカーであって、
該ジョイント部材が、該第１スピーカーと連結する第１連結部材と、該第２スピーカー並びに該第１連結部材と連結する第２連結部材と、を含み、該第１連結部材が、該第１ボイスコイルと接続する正極端子片および負極端子片を有し、該第２連結部材が、該第２ボイスコイルと接続する正極端子片および負極端子片を有し、
該極性反転スイッチ機構が、該第１連結部材または該第２連結部材のいずれか一方が備える軸部を、該第１連結部材または該第２連結部材の他方が備える軸受部に対して回動する場合に、該第１連結部材の該正極端子片および該負極端子片のいずれか一方が、該第２連結部材の該正極端子片に接続し、該第１連結部材の該正極端子片および該負極端子片の他方が、該第２連結部材の該負極端子片に接続する、
複合スピーカー。
【請求項２】
前記第１連結部材および前記第２連結部材が備える前記正極端子片および負極端子片が、前記軸部の中心軸に略直交する軸部曲面と、該軸部曲面に対向する前記軸受部の軸受部曲面と、に設けられている、
請求項１に記載の複合スピーカー。
【請求項３】
前記第１連結部材の前記正極端子片および前記負極端子片が、前記中心軸に対して対称な位置に配置され、
前記第２連結部材の前記正極端子片および前記負極端子片が、該中心軸に対して対称な位置に配置されている、
請求項１または２に記載の複合スピーカー。
【請求項４】
前記第１連結部材の前記正極端子片および前記負極端子片が、前記中心軸を中心として離隔角度θ（０＜θ＜１８０°）を有して離隔して配置され、
前記第２連結部材の前記正極端子片および前記負極端子片が、前記中心軸を中心として離隔角度θを有して配置され、かつ、該負極端子片が、該中心軸を中心として角度（３６０°−２θ）の範囲に渡って設けられている、
請求項１または２に記載の複合スピーカー。
【請求項５】
前記第１連結部材の前記正極端子片および前記負極端子片が、前記中心軸を中心として離隔角度φ（０＜φ＜１８０°）を有して配置され、
前記第２接続線で並列接続される前記第２連結部材の前記負極端子片が、前記正極端子片を中間に挟んで該中心軸を中心として離隔角度２φを有して２カ所に分離して配置されている、
請求項１または２に記載の複合スピーカー。
【請求項６】
前記ジョイント部材が、前記第１スピーカーと前記第２スピーカーとの離隔距離を複数段階に変更する距離変更機構をさらに備え、
前記第１連結部材または前記第２連結部材のいずれか一方が、複数の係合段を含む階段状段部を有し、該第１連結部材および該第２連結部材の他方が、該階段状段部の該係合段に係合する係合リブを有し、
該第１連結部材または該第２連結部材のいずれか一方が有する軸部を、該第１連結部材または該第２連結部材の他方が有する軸受部に対して回動する場合に、該係合リブが、該階段状段部のいずれかの該係合段に係合して、該離隔距離を変更する、
請求項１から５のいずれかに記載の複合スピーカー。
【発明の詳細な説明】
【技術分野】
【０００１】
本発明は、複合スピーカーに関し、特に、コーン型スピーカーと、コーン型スピーカーの振動板開口部に取り付けられる高音用スピーカーと、コーン型スピーカーと高音用スピーカーを連結するジョイント部材と、を備えた複合スピーカーに関する。
【背景技術】
【０００２】
複合スピーカーには、コーン型スピーカーと、コーン型スピーカーの振動板開口部に取り付けられる高音用スピーカーと、コーン型スピーカーと高音用スピーカーを連結するジョイント部材と、を備えた同軸スピーカーがある。例えば、樹脂成型部材により成型されるジョイント部材の長さおよび形状は、コーン型スピーカーおよび高音用スピーカーの構成により、コーン型振動板と高音用スピーカーの磁気回路部が接触しないように設定される。あわせて、ジョイント部材は、複合スピーカーとしてコーン型スピーカーと高音用スピーカーを組み合わせた場合に、音響特性が最も改善されるように、その長さを調整される。また、高音用スピーカーには、ジョイント部材を介して、音声入力信号が供給される場合がある。
【０００３】
例えば、従来には、コーン型振動板を備える第１スピーカーと、第１スピーカーの振動板開口部に取り付けられる第２スピーカーと、第１スピーカーと第２スピーカーとを連結するジョイント部材と、を備えた同軸スピーカーであって、ジョイント部材が、第１スピーカーの磁気回路と連結する第１連結部と、第２のスピーカーの磁気回路と連結する第２連結部と、略円柱形状をなす円柱部と、第１直径、第２直径および外周曲面から規定されて円柱部および第２連結部を連結する円錐台部と、を有し、円錐台部を規定する第１直径が円柱部の外径直径と等しい、同軸スピーカーがある（特許文献１）。
【０００４】
また、従来の高音用スピーカー部及び低音用スピーカー部を備えた同軸型スピーカーにおいては、高音用スピーカー部を低音用スピーカー部に対して着脱可能とするものがある。あるいは、高音用スピーカー部のハウジングに装着したプリント基板上にコネクタ手段を設ける共に、音声信号を伝達するリード線の一端を前記コネクタ手段に接続することにより、前記高音用スピーカー部に音声信号を供給する同軸型スピーカーがある（特許文献２）。
【０００５】
また、従来の複合スピーカーでは、ウーファーの磁気回路に固定されコーン中心より突出した基台と、基台に固定され先端がウーファーの開口部と略同一高さに位置するように形成されたＵ字状の支持アームと、支持アームの先端に回動自在に取り付けられたスコーカーおよびツィーターと、を備え、中高音域の音軸方向を変えられるようにし、忠実な再生音を聴取できるようにする複合型スピーカーシステムがある（特許文献３）。
【０００６】
また、従来には、高音再生用スピーカーが低音精製用スピーカーに結合された保持具に結合されて支持された複合型スピーカーにおいて、保持具が高音用スピーカーの底部に固定されたプリント基板及び当該プリント基板にハンダ付けされた付属電気部品を収容する収容部と、プリント基板にハンダ付けされたリード線を導出するため保持具の内面に形成された溝とを具備する複合型スピーカーがある（特許文献４）。
【先行技術文献】
【特許文献】
【０００７】
【特許文献１】特開２００５−３０３４８４号公報  （第１〜２図）
【特許文献２】特開平６−２６９０７６号公報  （第１〜１３図）
【特許文献３】実公昭６３−４２７８９号公報  （第１〜４図）
【特許文献４】実公平３−５２０７１号公報  （第１〜６図）
【０００８】
しかしながら、従来技術の複合スピーカーでは、コーン型スピーカーのコーン型振動板の前面にジョイント部材を用いて高音用スピーカーを取り付け、同軸スピーカーとして組み合わせる場合に、コーン型スピーカーのボイスコイルへの入力信号の極性と、高音用スピーカーのボイスコイルへの入力信号の極性と、を反転させるように調整することが望まれる場合がある。既存のジョイント部材では、２つの振動板の離隔距離が固定されてしまうので、特定の周波数でディップを生じるなど、同軸スピーカーとしての音響特性が不十分となる場合がある。また、この様な場合には、コーン型スピーカーと高音用スピーカーとの組み合わせが変更されると、ジョイント部材を新たに設計する必要が生じる場合がある。
【発明の概要】
【発明が解決しようとする課題】
【０００９】
本発明は、上記の従来技術が有する問題を解決するためになされたものであり、その目的は、複合スピーカーに関し、特にコーン型スピーカーと、コーン型スピーカーの振動板開口部に取り付けられる高音用スピーカーと、コーン型スピーカーと高音用スピーカーとを連結するジョイント部材とを備えた複合スピーカーに関し、新たなジョイント部材の設計を抑制し、音響特性が優れた複合スピーカーを提供することにある。
【課題を解決するための手段】
【００１０】
本発明の複合スピーカーは、コーン型振動板を備える第１スピーカーと、第１スピーカーの振動板開口部に取り付けられる第２スピーカーと、第１スピーカーと第２スピーカーとを連結するジョイント部材と、を備えた複合スピーカーであって、ジョイント部材が、第１スピーカーの第１ボイスコイルへの入力信号の極性と、第２スピーカーの第２ボイスコイルへの入力信号の極性と、を反転させる極性反転スイッチ機構を含む。
【００１１】
具体的には、本発明の複合スピーカーは、ジョイント部材が、第１スピーカーと連結する第１連結部材と、第２スピーカー並びに第１連結部材と連結する第２連結部材と、を含み、第１連結部材が、第１ボイスコイルと接続する正極端子片および負極端子片を有し、第２連結部材が、第２ボイスコイルと接続する正極端子片および負極端子片を有し、極性反転スイッチ機構が、第１連結部材または第２連結部材のいずれか一方が備える軸部を、第１連結部材または第２連結部材の他方が備える軸受部に対して回動する場合に、第１連結部材の正極端子片および負極端子片のいずれか一方が、第２連結部材の正極端子片に接続し、第１連結部材の正極端子片および負極端子片の他方が、第２連結部材の負極端子片に接続する。
【００１２】
好ましくは、本発明の複合スピーカーは、第１連結部材および第２連結部材が備える正極端子片および負極端子片が、軸部の中心軸に略直交する軸部曲面と、軸部曲面に対向する軸受部の軸受部曲面と、に設けられている。
【００１３】
好ましくは、本発明の複合スピーカーは  第１連結部材の正極端子片および負極端子片が、中心軸に対して対称な位置に配置され、第２連結部材の正極端子片および負極端子片が、中心軸に対して対称な位置に配置されている。
【００１４】
好ましくは、本発明の複合スピーカーは、第１連結部材の正極端子片および負極端子片が、中心軸を中心として離隔角度θ（０＜θ＜１８０°）を有して離隔して配置され、第２連結部材の正極端子片および負極端子片が、中心軸を中心として離隔角度θを有して配置され、かつ、負極端子片が、中心軸を中心として角度（３６０°−２θ）の範囲に渡って設けられている。
【００１５】
好ましくは、本発明の複合スピーカーは、第１連結部材の正極端子片および負極端子片が、中心軸を中心として離隔角度φ（０＜φ＜１８０°）を有して配置され、第２接続線で並列接続される第２連結部材の負極端子片が、正極端子片を中間に挟んで中心軸を中心として離隔角度２φを有して２カ所に分離して配置されている。
【００１６】
また、好ましくは、本発明の複合スピーカーは、ジョイント部材が、第１スピーカーと第２スピーカーとの離隔距離を複数段階に変更する距離変更機構をさらに備え、第１連結部材または第２連結部材のいずれか一方が、複数の係合段を含む階段状段部を有し、第１連結部材および第２連結部材の他方が、階段状段部の係合段に係合する係合リブを有し、第１連結部材または第２連結部材のいずれか一方が有する軸部を、第１連結部材または第２連結部材の他方が有する軸受部に対して回動する場合に、係合リブが、階段状段部のいずれかの係合段に係合して、離隔距離を変更する。
【００１７】
以下、本発明の作用について説明する。
【００１８】
本発明の複合スピーカーは、コーン型振動板を備える第１スピーカーと、第１スピーカーの振動板開口部に取り付けられる第２スピーカーと、第１スピーカーと第２スピーカーとを連結するジョイント部材と、を備えた複合スピーカーであって、多くの場合において、第２スピーカーは高音用スピーカーである。本発明の複合スピーカーのジョイント部材は、第１スピーカーの第１ボイスコイルへの入力信号の極性と、第２スピーカーの第２ボイスコイルへの入力信号の極性と、を反転させる極性反転スイッチ機構を含む。
【００１９】
このジョイント部材の極性反転スイッチ機構は、第１スピーカーの磁気回路と連結する第１連結部材と、第２スピーカーの磁気回路並びに第１連結部材と連結する第２連結部材と、を含み、例えば、一方の第１連結部材が、軸部と、軸部の中心軸に略直交する軸部曲面に設けられて第１ボイスコイルと接続する正極端子片および負極端子片と、を有し、他方の第２連結部材が、第１連結部材の軸部に対向する軸受部と、軸部の中心軸に略直交する軸受部曲面に設けられて第２ボイスコイルと接続する正極端子片および負極端子片と、を有する。したがって、第２スピーカーならびに第２連結部材を第１連結部材に対して回動する場合に、第１連結部材の正極端子片および負極端子片のいずれか一方が、第２連結部材の正極端子片に接続し、第１連結部材の正極端子片および負極端子片の他方が、第２連結部材の負極端子片に接続する。その結果、第１スピーカーの第１ボイスコイルへの入力信号の極性と、第２スピーカーの第２ボイスコイルへの入力信号の極性と、を反転させることができる。
【００２０】
具体的には、ジョイント部材の極性反転スイッチ機構では、第１連結部材の正極端子片および負極端子片が、中心軸に対して対称な位置に配置され、第２連結部材の正極端子片および負極端子片が、中心軸に対して対称な位置に配置されている。したがって、第２スピーカーおよび第２連結部材を、中心軸を中心として半回転である１８０度以下の角度θ、あるいは、φだけ回動させると、第２スピーカーの第２ボイスコイルへの入力信号の極性を、第１スピーカーの第１ボイスコイルへの入力信号の極性に対して、容易に反転させることができる。
【００２１】
または、ジョイント部材の極性反転スイッチ機構は、第１連結部材の正極端子片および負極端子片の２つの端子を備え、これらが中心軸を中心として角度θ（０＜θ＜１８０°）を有して離隔するように配置され、第２連結部材の正極端子片および負極端子片の２つの端子を備え、これらが角度θを有して離隔するように配置され、かつ、負極端子片が、角度（３６０°−２θ）の範囲に渡って軸部の正極端子片が設けられている側とは反対側の軸部曲又は面軸受部曲面に沿って設けられていてもよい。あるいは、第２接続線で並列接続される第２連結部材の負極端子片が、正極端子片を中間に挟んで、離隔角度２φを有して２カ所に分離して配置されており、第２連結部材は合計３つの端子を備えていてもよい。
【００２２】
その結果、本発明の複合スピーカーは、第１スピーカーおよび第２スピーカーのそれぞれの再生帯域が重複する周波数帯域では、第１振動板と第２振動板とからの再生音波が干渉するので、ジョイント部材の極性反転スイッチ機構が、第１スピーカーの第１ボイスコイルへの入力信号の極性と、第２スピーカーの第２ボイスコイルへの入力信号の極性と、を反転させると、二通りの音響特性を有する複合スピーカーを実現することができる。複合スピーカーの製造者またはユーザーは、第２スピーカーならびに第２連結部材の軸部を第１連結部材の軸受部に対して回動するだけでよい。極性の反転が容易になることで、製造者は、ジョイント部材を新たに設計する必要が少なくなり、製造コストを削減することができる。
【００２３】
また、ジョイント部材が、第１スピーカーと第２スピーカーとの離隔距離を複数段階に変更する距離変更機構をさらに備えている場合には、本発明の複合スピーカーは、第１スピーカーおよび第２スピーカーのそれぞれの再生帯域が重複する周波数帯域では、第１振動板と第２振動板とからの再生音波が干渉するので、距離変更機構によって離隔距離を複数段階に変更することで、この周波数帯域での音響特性を調整することができる。
【００２４】
この離隔距離は、音波を放射する方向についての第１スピーカーの第１振動板と、第２スピーカーの第２振動板と、の相対的な距離の代表値であり、ジョイント部材の全長を伸縮させることで、変化する距離である。距離変更機構によりその全長が伸縮するジョイント部材は、第１連結部材または第２連結部材のいずれか一方が、複数の係合段を含む階段状段部を有し、第１連結部材および第２連結部材の他方が、階段状段部の係合段に係合する係合リブを有する。したがって、第１連結部材または第２連結部材のいずれか一方が有する軸部を、第１連結部材または第２連結部材の他方が有する軸受部に対して回動する場合に、係合リブが、階段状段部のいずれかの係合段に係合して、離隔距離を変更する。その結果、ジョイント部材の極性反転スイッチ機構と組み合わせることで、調整可能な音響特性の幅を大きくすることができる。
【発明の効果】
【００２５】
本発明の複合スピーカーは、新たなジョイント部材の設計を抑制することができ、また、音響特性が優れた複合スピーカーを実現することができる。
【図面の簡単な説明】
【００２６】
【図１】本発明の複合スピーカーについて説明する図である。（実施例１）
【図２】本発明の複合スピーカーのジョイント部材について説明する図である。（実施例１）
【図３】本発明の複合スピーカーについて説明する図である。（実施例１）
【図４】本発明の複合スピーカーについて説明する図である。（実施例１）
【図５】本発明の複合スピーカーについて説明する図である。（実施例１）
【図６】本発明の複合スピーカーのジョイント部材について説明する図である。（実施例２）
【図７】本発明の複合スピーカーのジョイント部材について説明する図である。（実施例２）
【発明を実施するための形態】
【００２７】
以下、本発明の好ましい実施形態による複合スピーカーについて説明するが、本発明はこれらの実施形態には限定されない。
【実施例１】
【００２８】
図１は、本発明の他の好ましい実施形態による複合スピーカー１について説明する斜視図であり、中心軸Ｏに沿ってそれぞれの構成部品を展開し、コーン型スピーカー２の一部を断面図とした展開図である。本実施例の複合スピーカー１は、２ｗａｙ型の同軸スピーカーであって、コーン型振動板２１を備える第１スピーカーとしてのコーン型スピーカー２と、コーン型スピーカー２のコーン振動板２１の開口部に取り付けられる第２スピーカーとしての高音用スピーカー３と、コーン型スピーカー２と高音用スピーカー３を連結するジョイント部材１０と、を備えている。高音用スピーカー３へ音声信号を供給する接続線４は、ターミナル５に接続している。なお、図１において、説明に不要な複合スピーカー１の構成の一部は、省略している。
【００２９】
コーン型スピーカー２は、音声信号の全帯域を再生する口径１６ｃｍの動電型のフルレンジスピーカーであって、ポール、マグネットおよびプレートから構成される磁気回路２５と、磁気回路２５の磁気空隙にコイル部分が配置されるボイスコイル２４と、ボイスコイル２４のボビンに結合するコーン型振動板２１とを備える。コーン型振動板２１は、外周端がエッジ２２により自由支持されており、エッジ２２の外周端側は、磁気回路２５に連結するフレーム２３に固定されている。ボイスコイル２４には、音声信号電流がターミナル５から錦糸線を介して供給される。したがって、コーン型スピーカー２は、コーン型振動板２１が中心軸Ｏの前後方向に振動することにより音波を放射する。
【００３０】
一方、高音用スピーカー３は、音声信号の高音域を再生する口径３ｃｍのバランスドーム型のツィーターであって、ポール、マグネットおよびヨークから構成される（図示しない）磁気回路３２と、磁気回路３２の磁気空隙にコイル部分が配置される（図示しない）ボイスコイルと、ボイスコイルに結合する振動板３１とを備え、振動板３１が振動することにより音波を放射する。なお、本実施例の場合には、後述するジョイント部材１０を構成する第２連結部材１２は、磁気回路３２および振動板３１を固定する高音用スピーカー３のフレームとして樹脂で一体に構成されている。なお、図１に示すように、高音用スピーカー３は、高音用スピーカー３の端子３３に接続線６を介して接続されている。高音用スピーカー３の振動板３１の前面には、イコライザー部材３４が配置されている。
【００３１】
図２は、コーン型スピーカー２と高音用スピーカー３とを連結するジョイント部材１０を説明する図である。図２（ａ）は、ジョイント部材１０を構成する第１連結部材１１を説明する斜視図であり、図２（ｂ）は、第２連結部材１２を説明する斜視図であり、図２（ｃ）は、ジョイント部材１０の全体構成を示す斜視図である。具体的には、ジョイント部材１０は、コーン型スピーカー２の磁気回路２５を構成するポールの頭頂部と連結する第１連結部材１１と、この第１連結部材１１および高音用スピーカー３の磁気回路３２と連結する第２連結部材１２と、から構成されており、それぞれ樹脂により連結可能にされている。
【００３２】
本実施例のジョイント部材１０は、コーン型スピーカー２のボイスコイルへの入力信号の極性と、高音用スピーカー３のボイスコイルへの入力信号の極性と、を反転させる極性反転スイッチ機構を含んでいる。また、ジョイント部材１０は、極性反転スイッチ機構に加えて、距離変更機構を含んでいる。ジョイント部材１０は、第２連結部材１２を第１連結部材１１に対して回動してジョイント部材１０の全長をＤａ、Ｄｂ、Ｄｃの３段階に設定することができるので、複合スピーカー１は、コーン型スピーカー２のコーン振動板２１と、高音用スピーカー３の振動板３１との相対的な距離である離隔距離を、３段階に変更することができる。
【００３３】
図２（ａ）に示すように、第１連結部材１１は、略柱状に形成された樹脂部材であって、コーン型スピーカー２の磁気回路２５のポールの頭頂部に嵌入される円柱状の取付部１１ａと、円筒状の軸部１６と、この軸部１６の中心軸を含んで形成される貫通孔１１ｂと、第２連結部材１２の階段状段部１５の係合段に係合する係合リブ１８と、を有する。２カ所に設けられる係合リブ１８は、極性反転スイッチ機構を構成する正極端子片１８Ｐおよび負極端子片１８Ｍをそれぞれ備えており、これらは中心軸Ｏに対して対称な位置であって、軸部１６の中心軸に略直交する軸部曲面に配置されている。正極端子片１８Ｐおよび負極端子片１８Ｍには、貫通孔１１ｂの内部を通って高音用スピーカー３に入力信号を供給する接続線４が接続する。
【００３４】
一方、一部を透過して図２（ｂ）に示すように、第２連結部材１２は、リング状に形成された樹脂部材であって、高音用スピーカー３の磁気回路３２の底部を固定する固定部１２ａと、第１連結部材１１の軸部１６に係合する円筒状の軸受部１３と、中心軸を含んで形成される貫通孔１２ｂと、第２連結部材１２の円筒状の内側曲面に形成される複数の係合段（１５ａ、１５ｂ、１５ｃ）を含み、第１連結部材１１の係合リブ１８が係合する階段状段部１５と、第１連結部材１１の正極端子片１８Ｐまたは負極端子片１８Ｍが接触して導通する正極端子片２０Ｐおよび負極端子片２０Ｍと、を有する。正極端子片２０Ｐおよび負極端子片２０Ｍは、中心軸Ｏに対して対称な位置であって、軸部曲面に対向する軸受部曲面に配置されている。なお、図１に示すように、正極端子片２０Ｐおよび負極端子片２０Ｍは、高音用スピーカー３の端子３３に接続線６を介して接続されている。
【００３５】
また、図２（ｃ）に示すように、本実施例のジョイント部材１０は、第１連結部材１１に軸支されて、第２連結部材１２とコーン型スピーカー２の磁気回路２５のポールの頭頂部との間に狭持されるバネ部材１９をさらに備える。バネ部材１９は、磁気回路２５に固定される第１連結部材１１と第２連結部材１２との間に弾性力を作用させて、この弾性力によって、第１連結部材１１の係合リブ１８と、第２連結部材１２に設けられる階段状段部１５のそれぞれの係合段との係合を保つ。したがって、本実施例のジョイント部材１０は、距離変更機構により他の長さにジョイント部材１０の全長を３段階に変更しても、バネ部材１９の弾性力によって第１連結部材と第２連結部材とを固定することができる。ジョイント部材１０の全長は、Ｄａ：約２０ｍｍと、Ｄｂ：約２２ｍｍと、Ｄｃ：約２４ｍｍとの３段階に設定することができる。
【００３６】
図３および図４は、本実施例の複合スピーカー１のジョイント部材１０が備える極性反転スイッチ機構を説明する図である。具体的には、図３（ａ）および図４（ａ）は、複合スピーカー１の斜視図であり、図３（ｂ）および図４（ｂ）は、ジョイント部材１０の極性反転スイッチ機構による接続を説明するブロックダイアグラムである。図３および図４に示すように、高音用スピーカー３が固定される第２連結部材１２を、第１連結部材１１に対して中心軸Ｏを中心にして回動すると、コーン型スピーカー２のボイスコイルへの入力信号の極性と、高音用スピーカー３のボイスコイルへの入力信号の極性と、を反転させることができる。
【００３７】
例えば、ジョイント部材１０は、図４の場合に対応する図２（ｃ）に示す状態では、第１連結部材１１の正極端子片１８Ｐが、第２連結部材１２の負極端子片２０Ｍと接触して導通しており、一方で、第１連結部材１１の負極端子片１８Ｍが、第２連結部材１２の正極端子片２０Ｐと接触して導通している。したがって、複合スピーカー１の高音用スピーカー３が固定される第２連結部材１２を、第１連結部材１１に対して中心軸Ｏを中心にして、図３の場合に対応する状態のように回動すると、第１連結部材１１の正極端子片１８Ｐが、第２連結部材１２の正極端子片２０Ｐと接触して導通し、一方で、第１連結部材１１の負極端子片１８Ｍが、第２連結部材１２の負極端子片２０Ｍと接触して導通するように、極性を反転して切り換えることができる。
【００３８】
したがって、コーン型スピーカー２および高音用スピーカー３のそれぞれの再生帯域が重複する周波数帯域では、コーン型振動板２１と振動板３２とからの再生音波が干渉するので、ジョイント部材１０の極性反転スイッチ機構が、コーン型スピーカー２のボイスコイルへの入力信号の極性と、高音用スピーカー３のボイスコイルへの入力信号の極性と、を反転させると、複合スピーカー１は二通りの音響特性を切り換えることができる。極性が反転すると、コーン型スピーカー２および高音用スピーカー３のそれぞれの再生帯域が重複する約１ｋＨｚ以上の周波数帯域では、コーン振動板２１と振動板３１とからの再生音波が干渉する様子が変化するので、複合スピーカー１としての音響特性を調整して、優れた複合スピーカーを実現することができる。複合スピーカー１の製造者またはユーザーは、高音用スピーカー３ならびに第２連結部材１２を第１連結部材１１に対して回動するだけでよい。
【００３９】
図５は、本実施例の複合スピーカー１のジョイント部材１０が備える距離変更機構を説明する図である。ジョイント部材１０は、コーン型スピーカー２と高音用スピーカー３の離隔距離を３段階に変更する距離変更機構を有しており、図３から図５に図示するように、本実施例のジョイント部材１０の全長は、Ｄａ：約２０ｍｍと、Ｄｂ：約２２ｍｍと、Ｄｃ：約２４ｍｍとの３段階に設定することができる。例えば、図５に示すように、本実施例のジョイント部材１０の距離変更機構では、高音用スピーカー３が固定される第２連結部材１２を、バネ部材１９を縮めるように押し込んで、第１連結部材１１に対して中心軸Ｏを中心にして約６０度程度左回りに回動すると、階段状段部のひとつの係合段１５ｂに係合している係合リブ１８が、バネ部材１９の弾性力によって別の係合段１５ｃに係合するようになるので、ジョイント部材１０の全長をＤｂからＤｃに長くするように変更できる。
【００４０】
図２（ｂ）に示す第２連結部材１２は、第１連結部材１１の係合リブ１８が係合する階段状段部１５を有しており、第２連結部材１２の円筒状の内側曲面に形成される複数の係合段（１５ａ、１５ｂ、１５ｃ）は、第１連結部材１１の正極端子片１８Ｐが第２連結部材１２の正極端子片２０Ｐと接触して導通する接続の場合と、第１連結部材１１の正極端子片１８Ｐが第２連結部材１２の負極端子片２０Ｍと接触して導通する接続の場合と、に対応できるように、それぞれ別々に分けて設けられている。その結果、本実施例のジョイント部材１０は、コーン型スピーカー２のコーン振動板２１と、高音用スピーカー３の振動板３１との相対的な距離である離隔距離を、距離変更機構によって３段階に変更し、また、極性反転スイッチ機構によって２組変更できるので、合計で６通りの組み合わせが可能になり、調整可能な音響特性の幅を大きくすることができる。
【００４１】
例えば、図３（ａ）の場合では、本実施例のジョイント部材１０の全長はＤａであって、極性反転スイッチ機構は、第１連結部材１１の正極端子片１８Ｐが第２連結部材１２の正極端子片２０Ｐと接触する正の接続である。また、図４（ａ）の場合では、本実施例のジョイント部材１０の全長はＤａであって、極性反転スイッチ機構は、第１連結部材１１の正極端子片１８Ｐが第２連結部材１２の負極端子片２０Ｍと接触する反転した負の接続である。
【００４２】
さらに、高音用スピーカー３が固定される第２連結部材１２を、第１連結部材１１に対して中心軸Ｏを中心にして約１５０度左回りに回動すると、階段状段部のひとつの係合段１５ａに係合している係合リブ１８が、次の係合段１５ｂに係合するようになるので、図５（ａ）の場合のようにジョイント部材１０の全長をＤａからＤｂに長く変更することができ、極性反転スイッチ機構は、反転した負の接続を保っている。また、さらに図５（ｂ）の場合のようにジョイント部材１０の全長をＤｂからＤｃに長く変更する状態では、このとき極性反転スイッチ機構は、さらに反転した正の接続に切り換えることができる。
【００４３】
したがって、複合スピーカー１の製造工程においては、コーン型スピーカー２と高音用スピーカー３との組み合わせが変更されたとしても、ジョイント部材１０を新たに設計する必要が少なくなり、製造コストを削減することができる。ジョイント部材１０の全長を所定の別の長さに変更する場合には、高音用スピーカー３が固定される第２連結部材１２を、バネ部材１９を縮めるように押し込んで、第１連結部材１１に対して中心軸Ｏを中心にして回動させればよい。なお、複合スピーカー１の製造工程において、好ましい全長となるようにジョイント部材１０を調整した後は、第２連結部材１２を第１連結部材１１に対して接着剤等により接着して、その全長を固定しても良い。
【００４４】
本実施例のジョイント部材１０では、第１連結部材１１の軸受部１３と第２連結部材１２の軸部１６とが、それぞれの中心軸を含んで連通する貫通孔１１ｂないし１２ｂを有しているので、この貫通孔の内部に高音用スピーカー３への入力信号を供給する接続線４を配置することができる。接続線４の一方端は、第２連結部材１２に設けられる端子３３に接続され、端子３３には高音用スピーカー３のボイスコイルが接続される。この貫通孔１１ｂおよび１２ｂの内部に接続線４を配置できるので、外観上でも、音響特性への影響の点でも利点がある。なお、ターミナル５に接続して高音用スピーカー３へ音声信号を供給する接続線４は、音声信号帯域を制限する高域通過フィルタ（ＨＰＦ）、あるいは、帯域通過フィルタ（ＢＰＦ）が接続されていてもよい。
【実施例２】
【００４５】
図６は、本発明の他の好ましい実施形態による複合スピーカー１が備える極性反転スイッチ機構を含むジョイント部材１０ａについて説明する平面図である。また、図７は、他の好ましい実施形態によるジョイント部材１０ｂについて説明する平面図である。本実施例のジョイント部材１０ａ並びに１０ｂは、先の実施例の場合のジョイント部材１０の具体的な構成とほぼ共通するので、共通する部品および部材には共通する番号を付して、説明を省略する。
【００４６】
本実施例の第１連結部材１１は、極性反転スイッチ機構を構成する正極端子片１８Ｐおよび負極端子片１８Ｍをそれぞれ備えている。正極端子片１８Ｐおよび負極端子片１８Ｍは、中心軸Ｏを中心として離隔角度θ（＝約６０°）を有して離隔して、中心軸Ｏに略直交する第１連結部材１１の軸部曲面に配置されている。正極端子片１８Ｐおよび負極端子片１８Ｍには、高音用スピーカー３に入力信号を供給する接続線４が接続する。
【００４７】
一方、第２連結部材１２は、極性反転スイッチ機構を構成する正極端子片２０Ｐおよび負極端子片２０Ｍをそれぞれ備えている。図６に示すジョイント部材１０ａの場合には、正極端子片２０Ｐおよび負極端子片２０Ｍは、中心軸Ｏを中心として離隔角度（３６０°−２θ）（＝約２４０°）を有して離隔して、かつ、負極端子片２０Ｍが、角度（３６０°−２θ）の範囲に渡って正極端子片２０Ｐが設けられている側とは反対側の第２連結部材１２の軸部曲面に対向する軸受部曲面に配置されている。正極端子片２０Ｐおよび負極端子片２０Ｍには、高音用スピーカー３に入力信号を供給する接続線６が接続する。
【００４８】
ジョイント部材１０ａの極性反転スイッチ機構では、図６（ａ）に示す正の接続の場合に、第１連結部材１１の正極端子片１８Ｐが第２連結部材１２の正極端子片２０Ｐと接触し、かつ、第１連結部材１１の負極端子片１８Ｍが第２連結部材１２の負極端子片２０Ｍと接触する。また、図６（ｂ）に示す負の接続の場合に、第１連結部材１１の正極端子片１８Ｐが第２連結部材１２の負極端子片２０Ｍと接触し、かつ、第１連結部材１１の負極端子片１８Ｍが第２連結部材１２の正極端子片２０Ｐと接触する。
【００４９】
つまり、ジョイント部材１０ａでは、第２連結部材１２の負極端子片２０Ｍが、角度（３６０°−２θ）の範囲に渡って幅広く設けられているので、高音用スピーカー３が固定される第２連結部材１２を、第１連結部材１１に対して中心軸Ｏを中心にして角度θ回動すると、コーン型スピーカー２のボイスコイルへの入力信号の極性と、高音用スピーカー３のボイスコイルへの入力信号の極性と、を反転させることができる。離隔角度θは、正極端子片１８Ｐおよび負極端子片１８Ｍの大きさに合わせて０＜θ＜１８０°の範囲で設定できる。
【００５０】
図７に示すジョイント部材１０ｂの場合には、第１連結部材１１は、極性反転スイッチ機構を構成する正極端子片１８Ｐおよび負極端子片１８Ｍをそれぞれ備えており、これらは、中心軸Ｏを中心として離隔角度φ（＝約６０°）を有して離隔して、中心軸Ｏに略直交する第１連結部材１１の軸部曲面に配置されている。正極端子片１８Ｐおよび負極端子片１８Ｍには、高音用スピーカー３に入力信号を供給する接続線４が接続する。
【００５１】
また、第２連結部材１２は、正極端子片２０Ｐと、負極端子片２０Ｍ１と、負極端子片２０Ｍ２と、を備えており、これらは第２連結部材１２の軸部曲面に対向する軸受部曲面に配置されている。２つの負極端子片２０Ｍ１および２０Ｍ２は、正極端子片２０Ｐを中間に挟んで中心軸Ｏを中心として離隔角度２φ（＝約１２０°）を有して２カ所に分離して配置されている。正極端子片２０Ｐおよび負極端子片２０Ｍには、高音用スピーカー３に入力信号を供給する接続線６が接続し、２つの負極端子片２０Ｍ１および２０Ｍ２は、並列接続される。
【００５２】
したがって、ジョイント部材１０ｂの極性反転スイッチ機構では、図７（ａ）に示す正の接続の場合に、第１連結部材１１の正極端子片１８Ｐが第２連結部材１２の正極端子片２０Ｐと接触し、かつ、第１連結部材１１の負極端子片１８Ｍが第２連結部材１２の負極端子片２０Ｍ１と接触する。また、図７（ｂ）に示す負の接続の場合に、第１連結部材１１の正極端子片１８Ｐが第２連結部材１２の負極端子片２０Ｍ２と接触し、かつ、第１連結部材１１の負極端子片１８Ｍが第２連結部材１２の正極端子片２０Ｐと接触する。
【００５３】
つまり、ジョイント部材１０ｂでも、高音用スピーカー３が固定される第２連結部材１２を、第１連結部材１１に対して中心軸Ｏを中心にして角度φ回動すると、コーン型スピーカー２のボイスコイルへの入力信号の極性と、高音用スピーカー３のボイスコイルへの入力信号の極性と、を反転させることができる。離隔角度φは、正極端子片１８Ｐおよび負極端子片１８Ｍの大きさに合わせて０＜φ＜１８０°の範囲で設定できる。
【００５４】
なお、本発明の複合スピーカーのジョイント部材１０は、上記の実施例に限られない。ジョイント部材１０の極性反転スイッチ機構は、第１連結部材１１または第２連結部材１２のいずれか一方が備える軸部１６を、第１連結部材１１または第２連結部材１２の他方が備える軸受部１３に対して回動する場合に、第１連結部材１１の正極端子片１８Ｐおよび負極端子片１８Ｍのいずれか一方が、第２連結部材１２の正極端子片２０Ｐに接続し、第１連結部材１１の正極端子片１８Ｐおよび負極端子片１８Ｍの他方が、第２連結部材１２の負極端子片２０Ｍに接続するものであればよい。
【００５５】
また、ジョイント部材１０の距離変更機構は、第１連結部材１１または第２連結部材１２のいずれか一方が、複数の係合段を含む階段状段部１５を有し、第１連結部材１１または第２連結部材１２の他方が、階段状段部１５の係合段に係合する係合リブ１８を有していればよく、ジョイント部材１０の全長を変更して、コーン型スピーカー２のコーン振動板２１と、高音用スピーカー３の振動板３１との相対的な距離である離隔距離を変更するものであればよい。また、第１連結部材１１または第２連結部材１２は、いずれかがロック爪１４またはロック孔１７を備えていてもよく、バネ部材１９を併用してジョイント部材１０の全長を固定してもよい。
【産業上の利用可能性】
【００５６】
本発明の複合スピーカーは、第１スピーカーがコーン型スピーカーである場合に限らず、平面型スピーカーである場合にも有用である。他にも、第２スピーカーが低音域成分を再生するウーファー等を含む複数のスピーカーであってもよい。また、同軸スピーカーといわれる複合スピーカーに限らず、第１スピーカーの振動板の前面にジョイント部材を備えるスピーカーにも適する。
【符号の説明】
【００５７】
１            複合スピーカー
２            コーン型スピーカー
３            高音用スピーカー
４            接続線
５            ターミナル
６            接続線
１０          ジョイント部材
１１          第１連結部材
１２          第２連結部材
１３          軸受部
１５          階段状段部
１６          軸部
１８          係合リブ
１９          バネ部材１９
１８Ｐ、２０Ｐ  正極端子片
１８Ｍ、２０Ｍ  負極端子片
２１          コーン型振動板
２２          エッジ
２３          フレーム
２４          ボイスコイル
２５          磁気回路
３１          振動板
３２          磁気回路
３３          端子
３４          イコライザー部材
【図１】
2010177724.tif 000003
【図２】
2010177724.tif 000004
【図３】
2010177724.tif 000005
【図４】
2010177724.tif 000006
【図５】
2010177724.tif 000007
【図６】
2010177724.tif 000008
【図７】
2010177724.tif 000009